(57)【特許請求の範囲】
【請求項１】
ローラに載置した被試験車両を拘束装置で拘束し、オブザーバ、ＡＳＲ部、及び慣性部を有する電気慣性制御回路に、動力計の回転信号、軸トルク信号、ローラ回転信号を入力してトルク電流指令を演算し、求めたトルク電流指令によりインバータを介して電気慣性制御を行うシャシーダイナモメータシステムにおいて、
前記オブザーバとＡＳＲ部とをコントローラ設計手法に基づきパラメータ設計し、このオブザーバとＡＳＲ部に軸トルク検出信号と角速度検出信号を入力すると共に、オブザーバの出力信号から走行抵抗指令と機械損失指令を減算し、求められた信号を前記慣性部に入力して設定電気慣性信号を生成し、この設定電気慣性信号から車体速度検出信号を減算してＡＳＲ部に入力するよう構成したことを特徴とした車両挙動試験装置。
【請求項２】
実路上とシャシーダイナモメータ上の相違によるタイヤ特性を補正するためのタイヤ特性補正マップを設け、このタイヤ特性補正マップに前記オブザーバが演算した駆動力信号を入力し、この入力信号に応じたタイヤ速度補正信号を前記設定電気慣性信号に加算すると共に、設定電気慣性信号から前記角速度検出信号と車体速度検出信号を減算して設定電気慣性信号を生成するよう構成したことを特徴とした請求項１記載のシャシーダイナモ制御装置。
【請求項３】
前記オブザーバの一般化プラントは、それぞれ重みつけされたローラ表面駆動力信号と動力計トルク指令を入力してローラ角速度とシャフトの軸トルク及び動力計角速度を演算する機械系モデル、この機械系モデルからの軸トルク信号を入力して軸トルクの検出特性を表すトルクメータ特性モデル、機械系モデルからの動力計角速度を入力して動力計角速度を検出するエンコーダ特性モデルを有し、
前記トルクメータ特性モデルを介して生成されたトルク検出信号と重み付された軸トルク検出誤差信号の和を軸トルク検出信号とし、且つ前記エンコーダ特性モデルを介して検出された動力計角速度信号と重みつけされた動力計角速度信号との和を動力計角速度の検出信号としてそれぞれコントローラへの観測信号として入力し、このコントローラの出力と前記ローラ表面駆動力信号と差信号を重みつきのローラ表面駆動力の指令信号とするよう構成すると共に、
前記ＡＳＲ部の一般化プラントは、重みつけされたローラ表面駆動力信号と動力計トルク信号を入力してローラ角速度とシャフトの軸トルク及び動力計角速度を演算する機械系モデル、この機械系モデルからの軸トルク信号を入力して軸トルクの検出特性を表すトルクメータ特性モデル、機械系モデルからの動力計角速度を入力して動力計角速度を検出するエンコーダ特性モデル及びコントローラの出力信号に基づくインバータトルク電流制御特性を表すインバータ特性モデルを有し、
前記トルクメータ特性モデルを介して生成されたトルク検出信号と重み付された軸トルク検出誤差信号の和を軸トルク検出信号とし、且つ前記エンコーダ特性モデルを介して検出された動力計角速度信号と重みつけされた動力計角速度信号との和と、重みつけされた角速度指令との差信号を動力計角速度の検出信号としてそれぞれコントローラへの観測信号として入力し、このコントローラからの出力をインバータへのトルク電流指令をコントローラからの出力信号とするよう構成したことを特徴とした請求項１又は２記載の車両挙動試験装置。
【発明の詳細な説明】
【技術分野】
【０００１】
本発明は、車両挙動試験装置に係り、特にシャシーダイナモメータシステムにおいて、拘束装置と車両剛性の特性、及びタイヤ特性を考慮した過渡的な車両挙動試験装置に関するものである。
【背景技術】
【０００２】
動力計計測システムの負荷側または駆動側で、動力計測対象の機械慣性成分を電気的に補償するために電気慣性制御方式が採られている。この電気慣性制御方式としては、特許文献１が公知となっている。この特許文献１には、設置された軸トルクメータにより車両の動力伝達軸に発生する軸トルクを検出する。動力計は、軸トルクの検出値と、機械慣性分を除いた走行抵抗分のトルク設定値と、動力計の機械慣性及び設定慣性から電気慣性トルク設定値を求め、この電気慣性トルク設定値と走行抵抗分のトルク設定値との和で吸収トルクを制御する。そして、電気慣性制御のための加速度検出を不要としたことにより、電気慣性制御の応答性を高め、かつ安定化した制御を可能とすることが記載されている。
【特許文献１】特開２００４−３６１２５５
【発明の開示】
【発明が解決しようとする課題】
【０００３】
シャシーダイナモメータシステムは、図８で示すように動力計ＤｙとローラＲとを軸トルクメータＴＭを介して直結されており、軸トルクメータＴＭ、第１及び第２のエンコーダＥＣ１，ＥＣ２によって検出された軸トルク、動力計回転数及びローラ回転数を電気慣性制御回路ＥＩに導入してトルク電流指令を生成し、インバータＩＶを介して動力計を制御するよう構成されている。また、電気慣性制御回路ＥＩは計測制御ユニットＭＵの内部に構成される。図９は、図１０で示すシステムをモデル化したものである。すなわち、ローラＲ上に被試験車両Ｖｃを載置し、拘束装置Ｒｅを用いて固定側に拘束する。この拘束した状態で、走行抵抗制御などの運転を行って耐久試験や性能試験を実施している。
【０００４】
図９において、５０はエンジンのトルク信号と駆動力信号等を元にタイヤ速度を算出する駆動系モデル、５１はシャシーダイナモメータモデル部で、このモデル部５１で推定された推定値Ｖrollerと車速Ｖcarとの偏差分Ｖが減算部において求められる。この差分Ｖは、さらに減算部に出力されて駆動系モデル５０からのタイヤ速度との差演算が実行され、その差分によるタイヤ速度はタイヤモデル５２に入力される。タイヤモデル５２では入力された信号に基づいて駆動力Ｆxを演算し、その駆動力信号Ｆxを駆動系モデル５０とシャシーダイナモメータモデル部５１に出力されると共に、減算部を介して車両速度演算部５３に出力されて車速Ｖcarが演算される。５４は拘束力演算部で、車両速度演算部５３で求められた車速Ｖcarに応じた拘束力Ｆbindを算出して拘束装置Ｒｅの拘束力とすると共に、減算部において駆動力Ｆxとの偏差が求められ、その差分が車両速度演算部５３に入力される。
なお、拘束力算出部５４のパラメータＣcはダビング、Ｋcはバネ剛性、ｓはラプラス演算子である。
【０００５】
図９で示す走行モデルでは、ダイナモメータ分部がシャシーダイナモメータモデル部５１であり、図１０で示すローラから上部の車体部分がシャシーダイナモメータモデル部５１を除いた各要素である。
【０００６】
上述のようにシャシーダイナモメータシステムでは、実際に路上を走行した走行データに基づいてシャシーダイナモメータ上で耐久試験や性能試験を実行するが、その際、実路上では図１１（ａ）で示すようなモデルとなり、シャシーダイナモメータ上では（ｂ）図のすようなモデルとなる。○で囲んだ部分が両者の相違箇所であり、シャシーダイナモメータでは拘束装置の剛性が存在することにより、例えば、スロットル、若しくはアクセル開度全開（ＷＯＴ）操作を複数回行った時等の過渡的な挙動試験を行う場合、次のような問題を有している。
（１）試験車両の質量と駆動側から見た質量を一致させるために、制御によりローラの慣性を等価的に変更している。このため、制御応答が悪いと過渡的に設定した質量での試験が出来ない。
（２）車体を拘束する装置と車体の剛性が低いと、過渡的に車で発生したエネルギーの一部が拘束装置と車体に蓄えられるため、試験が正確に実施できない。これによって、図１２で示すよう、実路上の駆動力とシャシーダイナモ上の駆動力に差異が発生する。
すなわち、図１２（ａ）で示すようにアクセル開度を全開としたとき、（ｂ）図で示すように実線で示す実路と点線で示すシャシーダイナモ上で駆動力の差異が生じる。
【０００７】
そこで本発明が目的とするとこは、上記（１）（２）の問題点を解決した車両挙動試験装置を提供することにある。
【課題を解決するための手段】
【０００８】
本発明の請求項１は、ローラに載置した被試験車両を拘束装置で拘束し、オブザーバ、ＡＳＲ部、及び慣性部を有する電気慣性制御回路に、動力計の回転信号、軸トルク信号、ローラ回転信号を入力してトルク電流指令を演算し、求めたトルク電流指令によりインバータを介して電気慣性制御を行うシャシーダイナモメータシステムにおいて、
前記オブザーバとＡＳＲ部とをコントローラ設計手法に基づきパラメータ設計し、このオブザーバとＡＳＲ部に軸トルク検出信号と角速度検出信号を入力すると共に、オブザーバの出力信号から走行抵抗指令と機械損失指令を減算し、求められた信号を前記慣性部に入力して設定電気慣性信号を生成し、この設定電気慣性信号から車体速度検出信号を減算してＡＳＲ部に入力するよう構成したことを特徴としたものである。
【０００９】
本発明の請求項２は、実路上とシャシーダイナモメータ上の相違によるタイヤ特性を補正するためのタイヤ特性補正マップを設け、このタイヤ特性補正マップに前記オブザーバが演算した駆動力信号を入力し、この入力信号に応じたタイヤ速度補正信号を前記設定電気慣性信号に加算すると共に、設定電気慣性信号から前記角速度検出信号と車体速度検出信号を減算して設定電気慣性信号を生成するよう構成したことを特徴としたものである。
【００１０】
本発明の請求項３は、前記オブザーバの一般化プラントは、それぞれ重みつけされたローラ表面駆動力信号と動力計トルク指令を入力してローラ角速度とシャフトの軸トルク及び動力計角速度を演算する機械系モデル、この機械系モデルからの軸トルク信号を入力して軸トルクの検出特性を表すトルクメータ特性モデル、機械系モデルからの動力計角速度を入力して動力計角速度を検出するエンコーダ特性モデルを有し、
前記トルクメータ特性モデルを介して生成されたトルク検出信号と重み付された軸トルク検出誤差信号の和を軸トルク検出信号とし、且つ前記エンコーダ特性モデルを介して検出された動力計角速度信号と重みつけされた動力計角速度信号との和を動力計角速度の検出信号としてそれぞれコントローラへの観測信号として入力し、このコントローラの出力と前記ローラ表面駆動力信号と差信号を重みつきのローラ表面駆動力の指令信号とするよう構成すると共に、
前記ＡＳＲ部の一般化プラントは、重みつけされたローラ表面駆動力信号と動力計トルク信号を入力してローラ角速度とシャフトの軸トルク及び動力計角速度を演算する機械系モデル、この機械系モデルからの軸トルク信号を入力して軸トルクの検出特性を表すトルクメータ特性モデル、機械系モデルからの動力計角速度を入力して動力計角速度を検出するエンコーダ特性モデル及びコントローラの出力信号に基づくインバータトルク電流制御特性を表すインバータ特性モデルを有し、
前記トルクメータ特性モデルを介して生成されたトルク検出信号と重み付された軸トルク検出誤差信号の和を軸トルク検出信号とし、且つ前記エンコーダ特性モデルを介して検出された動力計角速度信号と重みつけされた動力計角速度信号との和と、重みつけされた角速度指令との差信号を動力計角速度の検出信号としてそれぞれコントローラへの観測信号として入力し、このコントローラからの出力をインバータへのトルク電流指令をコントローラからの出力信号とするよう構成したことを特徴としたものである。
【発明の効果】
【００１１】
以上のとおり、本発明によれば、拘束装置と車両剛性の特性を考慮した過渡的な車両の挙動試験が可能となる。また、電気慣性制御回路のオブザーバ部とＡＳＲ部をＨ∞制御、・設計法と呼称されるコントローラ設計手法を用いて設計したことによって所望の電気慣性制御回路の設計が可能となり、電気慣性制御の応答性能に影響する各特性を考慮した電気慣性制御回路の設計が可能となる。
【発明を実施するための最良の形態】
【００１２】
図１は、本発明の実施例を示す電気慣性制御回路の構成図で、オブザーバ（ローラ表面駆動力推定）１０１、慣性部［1/(EICーJ*s)］１０２及びＡＳＲ（速度制御）部１０３を有し、電気慣性制御の設定慣性量はEICーJで行われる。
【００１３】
本発明は、このようなシャシーダイナモメータシステムの電気慣性制御回路におけるオブザーバ部１０１とＡＳＲ部１０３は、Ｈ∞制御、・設計法と呼称されるコントローラ設計手法により車体相当の慣性モーメントが設計される。角速度検出と軸トルク検出はオブザーバ１０１とＡＳＲ部１０３に入力する。オブザーバ１０１の出力信号から走行抵抗指令と機械損失指令の偏差分を減算し、その信号を慣性部１０２に入力して設定電気慣性EICーJを所望の値に設定し積分する。積分された出力信号と対地車速検出器等の検出器により検出された車体速度Ｖcarを減算部１０６減算して角速度指令を生成し、速度制御することで拘束装置と車両剛性の特性を考慮した過渡的な車両の挙動試験を可能としたものである。以下、実施例に基づいて説明する。
【００１４】
図２は、本発明の実施例を示す電気慣性制御回路におけるオブザーバの一般化プラントモデル図、図３は、この一般化プラントモデル内の機械系モデルの伝達関数を示したものである。図２で示す電気慣性制御のためのオブザーバの一般化プラントモデルには、その外乱としてローラ表面駆動力ｗ１、動力計トルク指令ｗ２、軸トルク観測ノイズｗ３、及び動力計角速度観測ノイズｗ４が入力され、観測量Ａ，Ｂが検出されてコントローラ１０に入力される。外乱信号は、実際にシャシーダイナモメータシステムが駆動されていることを想定し、その時の制御ループに発生するノイズが外乱信号となり、ここではｗ１〜ｗ４の４つになっている。コントローラ１０では、電気慣性の状態方程式のパラメータを設定し、ゲインが小さくなるようアルゴリズムに基づいてパラメータを決定する。また、一般化プラントモデルでは、制御量としてｚ１〜ｚ４が生成される。
【００１５】
入力された外乱には、それぞれは重み係数付加手段１（Ow1(s)）〜４（Ow4(s)）、及び１１（Oz1(s)）〜１４（Oz4(s)）において各別に重み付けされ、求める特性が得られるようになっている。すなわち、手段１では、車両駆動力にかける重みで、ある定数がかけられてローラの回転モーメントトルクJ1.Tとし機械系モデル２０（Omec(s)）に出力されると共に、減算手段７に出力される。手段２では、動力計のトルク指令にかける重みで、ある定数がかけられてその出力はJ2.Tとして機械系モデル２０に出力される。手段３では、軸トルクの検出誤差にかける重みで、ある定数、または、高域でゲインが高くなるような特性にされ、加算手段５に出力される。手段４では、動力計角速度検出誤差にかける重みで、ある定数、または、高域でゲインが高くなるような特性にされて、加算手段６に出力される。
【００１６】
８（Otm(s)）は軸トルクを検出するトルクメータ特性生成手段（トルクメータ特性モデル）で、機械モデル２０からの結合シャフトの軸トルクK12.Tを入力して所定のトルクメータ特性として加算手段５に出力する。加算手段５では、重み付けされた軸トルクの検出誤差信号とトルクメータ特性を加算して軸トルク検出値を生成して観測量Ａとしてコントローラ１０に入力される。９（Oenc(s)）はエンコーダ特性生成手段（エンコーダ特性モデル）で、機械モデル２０からの動力計角速度Ｊ2.wを入力して所定のエンコーダ特性を生成し、加算部６に出力する。加算部６では、重み付けされた動力計角速度検出誤差信号とエンコーダ特性を加算して動力計角速度検出値を生成し、観測量Ｂとしてコントローラ１０に出力する。コントローラ１０では入力された信号に基づいて所定の演算を実行する。その演算信号は減算手段７に出力してローラの回転モーメントトルクJ1.Tとの減算が行われ、手段１１に出力される。
【００１７】
手段１１（Oz1(s)）は、ローラ表面駆動力推定の偏差値に重み付けをする手段で、積分特性、または、高域でゲインが低くなるような所定の特性にして重みつきローラ表面駆動力推定値ｚ１とし出力する。手段１２（Oz2(s)）は、軸トルクに重みをかける手段で、機械系モデル２０からの軸トルクK12.Tを入力してある定数、または、高域でゲインが高くなるような所定の特性にして軸トルク制御指令ｚ２とし出力する。手段１３（Oz3(s)）は、機械系モデル２０からの動力計角速度J2.wに重みをかける手段で、ある定数、または、高域でゲインが高くなるような所定の特性にして重み付けされた動力計角速度指令ｚ3とし出力する。手段１４（Oz4(s)）は機械系モデル２０からのローラ角速度検出に重みをかける手段で、ある定数、または、高域でゲインが高くなる特性として重みつきローラ角速度指令ｚ４として出力する。
【００１８】
図３で示すオブザーバの機械系モデル２０は、動力計の機械特性を伝達関数で表現したもので、２慣性機械系のモデルである。この実施例の機械系モデルは、J1.TとJ2.Tを入力として持ち、J1.w、K12.T、及びJ2.wを出力として持つ。
同図において、２１はローラ慣性モーメント要素で、その出力はローラ角速度J1.wとして一般化プラントへ出力すると共に、減算手段２６に出力する。２２はばね剛性要素で、減算手段２６により演算された動力計角速度とローラ角速度の差信号が入力されてシャフト捩れトルクK12.T信号として一般化プラントへ出力すると共に、加算手段２４と減算手段２５に出力する。加算手段２４では、ローラ表面にかかる車両駆動力によるローラの回転モーメントJ1.Tとシャフト捩れトルクK12.Tが加算されてローラ慣性モーメント要素２１に入力される。また、減算手段２５では、入力された動力計トルク信号J2.Tとシャフト捩れトルクK12.Tの差信号が求められて動力計慣性モーメント要素２３に出力され、この動力計慣性モーメント要素２３において動力計角速度J2.wを演算して一般化プラントへ出力すると共に、減算手段２６に出力される。
【００１９】
図４はＡＳＲ部４の一般化プラントモデル図で、外乱としてローラ表面駆動力ｗ１、インバータトルク制御誤差ｗ２、角速度指令ｗ３、軸トルク観測ノイズｗ４、及び動力計角速度観測ノイズｗ５が入力され、観測量Ａ'，Ｂ'が検出されてコントローラ４０に入力される。外乱信号は、実際にシャシーダイナモメータシステムが駆動されていることを想定し、その時の制御ループに発生するノイズが外乱信号となり、ここではｗ１〜ｗ５の５つになっている。コントローラ４０では、電気慣性の状態方程式のパラメータを設定し、ゲインが小さくなるようアルゴリズムに基づいてパラメータを決定する。また、このＡＳＲの一般化プラントモデルでは、制御量としてｚ１〜ｚ４が生成される。
【００２０】
入力された外乱と後述する制御量ｚ１〜ｚ４には、それぞれは重み係数付加手段３１（Gw1(s)）〜３５（Gw5(s)）、及び４４（Gz1(s)）〜４７（Gz4(s)）において各別に重み付けされ、所望の特性が得られるようになっている。すなわち、手段３１（Gw1(s)）では、車両駆動力にかける重みで、ある定数がかけられてローラの回転モーメントトルクJ1.Tとし機械系モデル５０（Gmec(s)）に出力される。手段３２（Gw2(s)）はインバータトルク制御誤差ｗ２にある定数、または、高域でゲインが高くなる特性とされ、加算手段４３に出力される。手段３３（Gw3(s)）は角速度指令ｗ３にある定数、または、高域でゲインが高くなる特性とされ、減算手段４１に出力される。手段３４（Gw4(s)）は軸トルクの検出誤差ｗ４にかける重みで、ある定数、または、高域でゲインが高くなるような特性にされ、加算手段３９に出力される。手段３５（Gw6(s)）は動力計角速度の検出誤差にある定数、または、高域でゲインが高くなる特性とされて加算手段４２に出力される。
手段３７（Gtm(s)）は軸トルクを検出するトルクメータ特性生成手段（トルクメータ特性モデル）で、機械モデル５０からの結合シャフトの軸トルクK12.Tを入力して所定のトルクメータ特性として加算手段３９に出力する。加算手段３９では、重み付けされた軸トルクの検出誤差信号とトルクメータ特性を加算して軸トルク検出値を生成して観測量Ａ'としてコントローラ４０に入力される。手段３８（Genc(s)）はエンコーダ特性生成手段（エンコーダ特性モデル）で、機械モデル５０からの動力計角速度Ｊ2.wを入力して所定のエンコーダ特性を生成し、加算部４２に出力する。加算部４２では、重み付けされた動力計角速度検出誤差信号とエンコーダ特性を加算し、この加算信号は減算手段４１において角速度指令と差演算が実行されて動力計角速度制御の偏差信号を生成し、観測量Ｂ'としてコントローラ4０と手段４８に出力する。手段４８では動力計角速度制御の偏差信号に積分特性を持つ重み関数が付加され、手段４６を介して動力計角速度制御信号ｚ３として出力される。
コントローラ４０では、入力された軸トルク検出値Ａ'と動力計角速度検出値Ｂ'とを基に電気慣性の状態方程式のパラメータを設定し、ゲインが小さくなるようアルゴリズムに基づいてパラメータを決定するための所定の演算を実行し、手段４４を介してトルク電流指令ｚ１として出力すると共に、手段３６に出力する。
手段３６はインバータのトルク指令に対して実際に発生するトルク出力の応答特性を表すインバータ特性生成手段（インバータ特性モデル）で、応答特性としては、ある定数、または、高域でゲインが低くなるような特性にされ、そのトルク指令は加算手段４３において重み付インバータのトルク制御誤差と加算された後、機械系モデル５０へ動力計トルク信号J2.Tとして出力される。
【００２１】
なお、重み付けを実行する手段４４〜４７のうち、手段４６のみはある定数、または、高域でゲインが低くなる特性にされているが、他の手段はある定数、又は、高域でゲインが高くなる特性にされている。
【００２２】
図５で示すＡＳＲの機械系モデル５０は、図３で示すオブザーバの機械系モデルと同様の機能のものが使用されるため、便宜上同一符号を付してその説明を省略する。
【００２３】
電気慣性制御回路のオブザーバとＡＳＲ部をＨ∞制御、・設計法と呼称されるコントローラ設計手法を用いて設計したことにより所望の電気慣性制御回路が設計される。このため、機械系の共振特性、軸トルク検出特性、動力計角速度検出特性、及びインバータ応答特性など、シャシーダイナモメータシステムの電気慣性制御の応答性能に影響する各特性を考慮した電気慣性制御回路の設計が可能となることにより、従来のものより高応答で安定なシャシーダイナモメータシステムの電気慣性制御が可能となるものである。また、電気慣性制御回路に走行抵抗を加算する場合や、設定慣性量を変更する場合でも容易に対応が可能となるものである
本発明では、コントローラ設計手法を用いて設計されたオブザーバ部とＡＳＲ部を用い、且つ慣性部の出力側において、設定電気慣性信号から車体速度検出信号Ｖcarを減算するよう構成したものである。この構成により、シャシーダイナモメータ上で実路上と同じ挙動が得られる理由を説明する。
【００２４】
駆動力Ｆxに対する車両速度Ｖの応答を、実路上とシャシーダイナモメータ上で一致させるようにダイナモメータを制御するためには、実路上の特性は（１）式となり、シャシーダイナモメータ上の特性は（２）式となる。
【００２５】
【数１】
0005146102.tif 000002
【００２６】
【数２】
0005146102.tif 000003
【００２７】
ただし、Ｖcarondynamoはローラ上車速、Ｇcarは走行演算部の伝達関数、Ｇbindは拘束力演算部の伝達関数、Ｇdynamoはシャシーダイナモメータモデル部の伝達関数、
拘束装置により拘束されている車体特性は（３）式となり、実路上の特性は（４）式となる。
【００２８】
【数３】
0005146102.tif 000004
【００２９】
【数４】
0005146102.tif 000005
【００３０】
駆動力Ｆxに対する車両速度Ｖの応答を、実路上とシャシーダイナモメータ上とで一致させるためには（５）式の特性となる。
【００３１】
【数５】
0005146102.tif 000006
【００３２】
よって、１／ＥＣＩ-Ｊ・ｓを演算する慣性部の出力に対して車体速度検出であるＶcarを減算して補正することによりＧdynamoと等しくなる。これにより、
駆動力Ｆxに対する車両速度Ｖの応答を、実路上とシャシーダイナモメータ上とで一致させることが可能となり、車両の挙動試験が精度よく実施できる。
図６は車両の過渡的な挙動試験結果を示したもので、実路上とシャシーダイナモメータ上で一致していることが分かる。
【００３３】
図７は第２の実施例を示したものである。図９で示す走行モデルの駆動系モデルは、一般にエンジンからタイヤまでの駆動系は実物を使用して、駆動力に対する仮想的な車体速度Ｖの伝達特性を路上と一致するよう構成されている。このため、タイヤ特性は路上とシャシーダイナモメータ上で異なることから、路上と同じ特性が正確に得られない問題があった。この実施例は、タイヤ特性をも考慮したものである。１０５はタイヤ特性が考慮されたタイヤ特性補正マップで、オブザーバ１０１が出力した駆動力信号を入力し、この駆動力信号に対応したタイヤ速度補正信号を加減算部１０７に出力するよう構成される。他は第１の実施例と同様である。
【００３４】
すなわち、オブザーバ１０１とＡＳＲ部１０３は、角速度検出と軸トルク検出を入力する。オブザーバ１０１の出力信号は、減算部１０４において走行抵抗指令と機械損失指令との差分との差演算が実行され、その信号は慣性部１０２に入力されて設定電気慣性EICーJを所望の値に設定し積分する。その信号は、減算部１０６で動力計の角度速度検出と対地車両速度検出器などにより検出された車体速度検出Ｖcarとの差分が求められ、加算部１０７に出力される。
一方、オブザーバ１０１の出力信号はタイヤ特性補正マップ１０５にも出力され、このタイヤ特性補正マップ１０５では入力信号に対応した補正値を求めて加算部１０７に出力する。加算部１０７では、１０６からの信号と補正値との和演算を実行して設定電気慣性信号を生成し、ωeとしてＡＳＲ部１０３に入力される。ＡＳＲ部１０３にて演算された信号に基づいて速度制御することで、駆動力と拘束装置の特性とタイヤ特性を考慮した車両の過渡的な挙動試験が可能となる。
【００３５】
この実施例によれば、タイヤ特性を考慮したマップにて補正するようなコントローラ構成としたことにより、第１の実施例よりもさらに忠実に車両の過渡的な挙動試験が可能となるものである。
【図面の簡単な説明】
【００３６】
【図１】本発明の第１の実施例を示すダイナモ制御コントローラの構成図。
【図２】オブザーバ一般化プラントモデル図。
【図３】オブザーバ機械系モデル図。
【図４】ＡＳＲ一般化プラントモデル図。
【図５】ＡＳＲ機械系モデル図。
【図６】アクセル−駆動力波形図で、（ａ）はアクセル開度、（ｂ）駆動力。
【図７】本発明の第２の実施例を示すダイナモ制御コントローラの構成図。
【図８】動力計システムの構成図。
【図９】シャシーダイナモメータシステムによる走行モデル図。
【図１０】シャシーダイナモメータシステム図。
【図１１】振動波形の伝達モデル図で、（ａ）は実路上、（ｂ）はシャシーダイナモメータシステム上。
【図１２】従来のアクセル−駆動力波形図で、（ａ）はアクセル開度、（ｂ）駆動力。
【符号の説明】
【００３７】
１０１…  オブザーバ
１０２…  慣性部
１０３…  ＡＳＲ部
１０５…  タイヤマップ
【図１】
0005146102.tif 000007
【図２】
0005146102.tif 000008
【図３】
0005146102.tif 000009
【図４】
0005146102.tif 000010
【図５】
0005146102.tif 000011
【図６】
0005146102.tif 000012
【図７】
0005146102.tif 000013
【図８】
0005146102.tif 000014
【図９】
0005146102.tif 000015
【図１０】
0005146102.tif 000016
【図１１】
0005146102.tif 000017
【図１２】
0005146102.tif 000018